(57)【特許請求の範囲】
【請求項１】
被調理物を収容する調理槽と、この調理槽への給蒸手段と、前記調理槽内の減圧手段と、前記給蒸手段および前記減圧手段を制御する制御器とを備え、
前記制御器が、負圧蒸煮を行う第一運転プログラムと、無圧蒸煮を行う第二運転プログラムと、正圧蒸煮を行う第三運転プログラムと、負圧蒸煮，無圧蒸煮および正圧蒸煮のうち少なくとも二つを組み合わせた第四運転プログラムとを選択して実行するように構成され、
前記第四運転プログラムの二つの組合せは、負圧蒸煮・無圧蒸煮を順次行う運転プログラム，負圧蒸煮・正圧蒸煮を順次行う運転プログラム，無圧蒸煮・負圧蒸煮を順次行う運転プログラム，無圧蒸煮・正圧蒸煮を順次行う運転プログラム，正圧蒸煮・負圧蒸煮を順次行う運転プログラム，正圧蒸煮・無圧蒸煮を順次行う運転プログラムとして構成され、
前記各蒸煮の蒸煮温度と蒸煮時間とが設定可能に構成されたことを特徴とする蒸気調理装置。
【請求項２】
前記各運転プログラムのうち正圧蒸煮または負圧蒸煮の蒸煮温度を多段で行うことを特徴とする請求項１に記載の蒸気調理装置。
【発明の詳細な説明】
【技術分野】
【０００１】
この発明は、調理槽内へ被調理物を収容し、この調理槽内へ飽和蒸気を供給して被調理物を調理する蒸気調理装置に関するものである。
【背景技術】
【０００２】
従来、この種の調理装置は、たとえば特許文献１などにて知られている。この特許文献１に記載の調理装置は、調理槽内へ飽和蒸気を供給して被調理物を蒸煮するものである。
【０００３】
【特許文献１】特開２００５−１８０８５８号公報
【０００４】
特許文献１に記載のような調理装置においては、調理槽内の温度または圧力を所定パターンとする運転プログラムに基づいて加熱を制御している。そして、この出願の発明者等は、蒸気調理の研究を重ねた結果、多様な被調理物の調理を行うためには、種々の加熱パターンが必要であるという課題を見出した。
【発明の開示】
【発明が解決しようとする課題】
【０００５】
この発明は、多彩な蒸気調理を実現し、多様な被調理物の高品質蒸気調理を可能とすることを目的としている。
【課題を解決するための手段】
【０００６】
この発明は、前記課題を解決するためになされたもので、請求項１に記載の発明は、被調理物を収容する調理槽と、この調理槽への給蒸手段と、前記調理槽内の減圧手段と、前記給蒸手段および前記減圧手段を制御する制御器とを備え、前記制御器が、負圧蒸煮を行う第一運転プログラムと、無圧蒸煮を行う第二運転プログラムと、正圧蒸煮を行う第三運転プログラムと、負圧蒸煮，無圧蒸煮および正圧蒸煮のうち少なくとも二つを組み合わせた第四運転プログラムとを選択して実行するように構成され、前記第四運転プログラムの二つの組合せは、負圧蒸煮・無圧蒸煮を順次行う運転プログラム，負圧蒸煮・正圧蒸煮を順次行う運転プログラム，無圧蒸煮・負圧蒸煮を順次行う運転プログラム，無圧蒸煮・正圧蒸煮を順次行う運転プログラム，正圧蒸煮・負圧蒸煮を順次行う運転プログラム，正圧蒸煮・無圧蒸煮を順次行う運転プログラムとして構成され、前記各蒸煮の蒸煮温度と蒸煮
時間とが設定可能に構成されたことを特徴としている。
【０００７】
請求項１の発明によれば、多様な被調理物の調理に応じて前記各運転プログラムを選択して実行することで、多彩な蒸気調理ができるとともに、低温から高温までの広い温度範囲での蒸気調理が可能となり、多様な被調理物の高品質蒸気調理をすることができる。
【０００８】
請求項２に記載の発明は、請求項１において、前記各運転プログラムのうち正圧蒸煮または負圧蒸煮の蒸煮温度を多段で行うことを特徴としている。
【０００９】
請求項２の発明によれば、請求項１による効果に加えて、正圧蒸煮または負圧蒸煮の蒸煮温度を多段に行うことで、より多彩な蒸気調理制御を行うことができ、多様な被調理物の高品質蒸気調理をすることができる。
【発明の効果】
【００１８】
この発明によれば、低温から高温まで広い温度範囲で、多彩な蒸気調理することで、多様な被調理物の高品質蒸気調理をすることができる。
【発明を実施するための最良の形態】
【００１９】
つぎに、この発明の実施の形態について説明する。この発明の実施の形態は、被調理物を飽和蒸気（以下、単に「蒸気」と云う。）で蒸したり、煮たりする蒸煮機，蒸し庫，蒸煮冷却機などの蒸気調理装置であって、調理後の被調理物を真空冷却する真空冷却機能，凍結した被調理物を真空下にて蒸気により解凍する真空解凍機能を必要に応じて付加することができる。
【００２０】
（実施の形態１）
この実施の形態１は、被調理物を収容する調理槽と、この調理槽への給蒸手段と、前記調理槽内の減圧手段と、前記給蒸手段および前記減圧手段を制御する制御器とを備え、前記制御器が、負圧蒸煮を行う第一運転プログラムと、無圧蒸煮を行う第二運転プログラムと、正圧蒸煮を行う第三運転プログラムと、負圧蒸煮，無圧蒸煮および正圧蒸煮のうち少なくとも二つを組み合わせた第四運転プログラムとを選択して実行することを特徴とする蒸気調理装置である。
【００２１】
この実施の形態１においては、被調理物に応じて前記第一〜第四運転プログラムを選択的に実行することで、多彩な蒸気調理が可能となり、多様な被調理物の高品質蒸気調理が可能になる。
【００２２】
つぎに、この実施の形態の各構成要素について説明する。被調理物は、解凍した肉など種々の蒸気調理用の食品または食材であって、通常、調味液とともに食材容器（ホテルパンや鍋）に入れた状態で前記調理槽内へ収容されて、蒸気調理が行われる。
【００２３】
前記調理槽は、被調理物を入れて加熱調理する密閉容器であり、内部に被調理物を収容する空間と、被調理物を出し入れするための扉付き開口とを備えている。
【００２４】
前記給蒸手段は、被調理物の加熱用蒸気を前記調理槽内へ供給する手段であり、前記調理槽と蒸気発生装置との間に接続される給蒸ライン（配管）と、この給蒸ライン（配管）中に設ける給蒸弁とを含んで構成される。前記蒸気発生装置（ボイラ）は、好ましくは、純水または軟水を加熱して得られる清浄蒸気を生成するリボイラとする。前記給蒸弁は、好ましくは、比例弁などの開度が調整可能な調整弁とするが、ＯＮ−ＯＦＦのみの開閉弁としたり、開閉弁および調整弁を直列に接続したものとすることができる。
【００２５】
前記減圧手段は、前記調理槽と接続される減圧ライン（配管）と、この減圧ライン中に設ける減圧器とを含む。この減圧器は、好ましくは、蒸気エゼクタ，凝縮用の熱交換器、および真空ポンプまたは水エゼクタの組み合わせとするが、これらの要素の１つまたは複数を組み合わせて構成することができる。また、この減圧手段は、前記排蒸手段として使用することも可能である。
【００２６】
前記調理槽には、内部の空気や蒸気を排出するための排蒸手段と、ドレン排出手段とを備える。この排蒸手段は、前記調理槽と接続される排蒸ラインと、この排蒸ライン中に設ける排蒸弁とを含んで構成される。前記ドレン排出手段は、前記調理槽と接続されるドレンラインと、このドレンライン中に設けられるドレン排出弁とを含んで構成される。
【００２７】
また、前記調理槽には、その内部を大気圧に復圧する復圧手段を備える。この復圧手段は、前記調理槽と接続される復圧ラインと、この復圧ライン中に設ける復圧制御弁と、空気清浄フィルタとを含んで構成される。
【００２８】
また、前記調理槽には、その内部の圧力を検出する圧力検出手段を備え、必要に応じて被調理物温度を検出する温度検出手段を備える。前記調理槽内の飽和蒸気圧力は、飽和蒸気温度と所定の関係を有するので、前記圧力検出手段を温度検出手段（温度センサ）に代えることができる。従って、この出願の明細書において使用する圧力検出手段は温度検出センサを含む。前記温度検出手段は、好ましくは、被調理物に検出部を差し込んで直接的に被調理物の温度を検出する温度センサとするが、被調理物温度を間接的に検出するセンサを用いることができる。
【００２９】
前記制御器は、前記圧力検出手段および前記温度検出手段からの信号を入力して、運転プログラムに基づき前記給蒸手段，前記排蒸手段および前記減圧手段などを制御し、所定の加熱パターンを実現する。前記運転プログラムは、負圧蒸煮を行う第一運転プログラムと、無圧蒸煮を行う第二運転プログラムと、正圧蒸煮を行う第三運転プログラムと、負圧蒸煮，無圧蒸煮および正圧蒸煮のうち少なくとも二つを組み合わせた第四運転プログラムとを含み、これらの運転プログラムが選択的に実行される。
【００３０】
各運転プログラムの選択は、使用者の選択により行われるが、多数の調理メニューを表示して、特定の調理メニューを選択することにより、前記第一〜第四運転プログラムが自動的に選択されるように構成する。あるいは、被調理物を選択した後、調理パターンを変えるべく前記第一〜第四運転プログラムを選択する。
【００３１】
ここで、負圧蒸煮，無圧蒸煮および正圧蒸煮について説明する。負圧蒸煮とは、大気圧より低い加熱目標圧力，すなわち大気圧の飽和温度１００℃よりも低い温度による給蒸調理を云い、負圧蒸気調理と称することもできる。無圧蒸煮とは、大気圧を加熱目標圧力，すなわち１００℃による給蒸を行いながら排蒸を行う給蒸調理を云い、吹出蒸煮または吹出蒸気調理と称することもできる。さらに正圧蒸煮は、大気圧より高い加熱目標圧力，すなわち１００℃よりも高い温度による給蒸調理を云い、正圧蒸気調理と称することもできる。
【００３２】
つぎに、前記運転プログラムについて説明する。前記運転プログラムは、第一〜第四運転プログラムにおいて、それぞれに以下の個別プログラムを含ませることができる。すなわち、前記個別プログラムとしては、調理槽内を蒸気で満たすために運転開始時に調理槽内の空気を排除する運転（空気排除運転と称する），温度を一定に保って加熱（蒸煮）する運転（加熱運転または蒸煮運転と称する），一定時間において一定圧力移行する運転（圧力移行運転と称する），被調理物から揮発した成分や空気を排除するために調理槽内を間歇的に排気する運転（間歇排気運転と称する），被調理物の調理槽内の圧力をパルス的に変化させる運転（パルス運転と称する），加熱調理が終了した後に調理槽内を大気圧に戻す運転（復圧運転と称する）そして調理後の被調理物の粗熱を取る運転（粗熱取り運転と称する）を含む。具体的には、前記空気排除運転および加熱運転は、前記各運転プログラムにおいて全ての運転プログラムにて実行される。また、圧力移行運転または復圧運転は、前記第二運転プログラム以外の運転プログラムにて実行される。さらに、前記間歇排気運転，パルス運転および粗熱取り運転は、被調理物の性状に応じて実行される。また、ここで云う「運転」は、工程，段階，操作等とも称することができる。
【００３３】
ここで、前記第四運転プログラムについて詳しく説明する。前記第四運転プログラムは、二つの蒸煮を含む運転プログラム，三つの蒸煮を含む運転プログラムおよび四つ以上の蒸煮を含む運転プログラムを組み合わせて構成することができる。以下、二つまたは三つの蒸煮を含む運転プログラムの形態を例示する。二つの蒸煮を含む運転プログラムの場合、負圧蒸煮・無圧蒸煮を順次行う運転プログラム，負圧蒸煮・正圧蒸煮を順次行う運転プログラム，無圧蒸煮・負圧蒸煮を順次行う運転プログラム，無圧蒸煮・正圧蒸煮を順次行う運転プログラム，正圧蒸煮・負圧蒸煮を順次行う運転プログラム，正圧蒸煮・無圧蒸煮を順次行う運転プログラムとして構成することができる。三つの蒸煮を含む運転プログラムの場合、負圧蒸煮・無圧蒸煮・正圧蒸煮を順次行う運転プログラム，負圧蒸煮・正圧蒸煮・無圧蒸煮を順次行う運転プログラム，無圧蒸煮・負圧蒸煮・正圧蒸煮を順次行う運転プログラム，無圧蒸煮・正圧蒸煮・負圧蒸煮を順次行う運転プログラム，正圧蒸煮・無圧蒸煮・負圧蒸煮を順次行う運転プログラム，正圧蒸煮・負圧蒸煮・無圧蒸煮を順次行う運転プログラム，負圧蒸煮・無圧蒸煮・負圧蒸煮を順次行う運転プログラム，負圧蒸煮・正圧蒸煮・負圧蒸煮を順次行う運転プログラム，無圧蒸煮・負圧蒸煮・無圧蒸煮を順次行う運転プログラム，無圧蒸煮・正圧蒸煮・無圧蒸煮を順次行う運転プログラム，正圧蒸煮・負圧蒸煮・正圧蒸煮を順次行う運転プログラム，正圧蒸煮・無圧蒸煮・正圧蒸煮を順次行う運転プログラムとして構成することができる。
【００３４】
この実施の形態１によれば、前記第一〜第四運転プログラムを選択的に実行することで、多彩な蒸気調理制御が可能となり、蒸煮調理温度を低温から高温へ上昇変化させたり、高温から低温へ下降変化させたりして多様な被調理物に応じた蒸煮調理を行うことができる。
【００３５】
この発明は、前記の実施の形態１に限定されるものではなく、つぎの実施の形態２を含む。
【００３６】
（実施の形態２）
実施の形態２は、前記実施の形態１において、前記各運転プログラムのうち負圧蒸煮または正圧蒸煮を多段で行うことを特徴とする蒸気調理装置である。
【００３７】
前記実施の形態１は、各蒸煮を一段階とした蒸気調理装置であったのに対して、この実施の形態２は、各蒸煮を二段階もしくは三段階以上として、蒸煮調理温度を変化させて被調理物を蒸煮調理する装置である。
【００３８】
この実施の形態２によれば、負圧または正圧蒸煮を含む前記各運転プログラムにおいて、負圧または正圧蒸煮における調理温度を多段に変化させることで、より多彩な蒸気調理が可能になる。
【００３９】
（実施の形態３）
実施の形態３は、前記実施の形態１または２において、前記各運転プログラムを選択し、前記運転プログラムの内容を変更可能とすることを特徴とする蒸気調理装置である。
【００４０】
この実施の形態３においては、前記各運転プログラムを選択，すなわち呼び出して、使用者が望む運転プログラムの内容に変更することができる。この運転プログラムの変更内容としては、個別プログラムの追加または削除，設定温度（または圧力）または設定時間の変更等を含んでいる。
【００４１】
（実施の形態４）
実施の形態４は、前記実施の形態１または２において、前記各運転プログラムの内容の変更を通信により行うことを特徴とする蒸気調理装置である。
【００４２】
この実施の形態４においては、変更内容は前記実施の形態３と同様である。前記通信は、インターネット回線，ＩＳＤＮ回線等の通信回線手段を用いて行うことができる。この実施の形態４においては、調理レシピ提供者と使用者とが運転プログラム内容の変更のメンテナンス契約を結び、調理レシピ提供者が定期的に運転プログラム内容を変更するサービスを提供する代わりに、使用者がメンテナンス料を貰うビジネスを行うように構成することができる。とくに、このビジネスには、使用者のニーズに応じた前記運転プログラムの内容を迅速に変更可能な実施の形態４が好適である。
【００４３】
（実施の形態５）
実施の形態５は、前記実施の形態３または４において、前記各運転プログラムの変更した内容を記憶可能とすることを特徴とする蒸気調理装置である。
【００４４】
この実施の形態５においては、変更した内容の運転プログラムを記憶しておくで、使用者が再度その運転プログラムを呼び出して実行することが可能になる。これにより、使用者は再度運転プログラムを変更する手間が省ける。
【００４５】
（実施の形態６）
実施の形態６は、前記実施の形態１または２において、前記各運転プログラムの内容の変更を着脱自在の記憶媒体の交換により行うことを特徴とする蒸気調理装置である。
【００４６】
この実施の形態６においては、前記記憶媒体に前記運転プログラムの内容を記憶し、この記憶媒体を別の運転プログラム，すなわち各運転プログラムについて修正または追加したプログラム記憶媒体と交換する。これにより、蒸気調理装置は、多彩な運転プログラムの実行が可能となる。この実施の形態６においては、前記実施の形態４に記載したビジネスを同様に実施可能である。前記記憶媒体としては、半導体メモリ，磁気記憶媒体，光ディスク等を用いることができる。
【００４７】
この実施の形態３〜６によれば、使用者の所期の運転プログラムにて蒸気調理を行うことで、より一層多様な被調理物を調理することが可能になる。
【実施例】
【００４８】
以下、この発明の調理装置の具体的実施例を図面に基づいて詳細に説明する。図１は、この発明の調理装置の概略構成の説明図である。図２は、第一，第二および第三運転プロ
グラムの処理手順を示すフローチャート図である。図３は、第四運転プログラムの処理手順を示すフローチャート図である。図４は、第一運転プログラムの調理槽内温度／圧力の概略的時間変化を示す特性図である。図５は、第二運転プログラムの調理槽内温度／圧力の概略的時間変化を示す特性図である。図６は、第三運転プログラムの調理槽内温度／圧力の概略的時間変化を示す特性図である。図７は、第四運転プログラムの調理槽内温度／圧力の概略的時間変化を示す特性図である。
【００４９】
図１に示す調理装置は、飽和蒸気（以下、単に「蒸気」と云う。）を用いて被調理物（以下、「食材」と云う。）を加熱調理する蒸気調理装置，すなわち蒸煮装置である。
【００５０】
図１に基づいて前記蒸煮装置について説明する。この蒸煮装置１は、食材２を収容する調理槽３と、前記調理槽３内へ蒸気を供給して食材２を加熱する加熱手段としての給蒸手段４と、前記調理槽３内の蒸気を排出する排蒸手段５と、前記調理槽３内に溜まったドレンを排出するドレン排出手段６と、前記調理槽３内を吸引排気する減圧手段７と、減圧された前記調理槽３へ外気を導入する外気導入手段８と、前記調理槽３内の圧力を検出する圧力センサ９と、前記圧力センサ９の信号を入力してメモリに記憶した制御手順に基づき前記調理槽３内の蒸気による食材２の調理を制御する制御器１０とを主要部として備えている。
【００５１】
前記調理槽３は、食材２の出し入れのための扉（符号省略）を備え、内部を大気圧より低い圧力（以下、「負圧」と云う。）から大気圧より高い圧力（以下、「正圧」と云う。）の蒸気で加熱するために、耐圧性の圧力容器として形成している。また、前記調理槽３の外側には、使用者の望む運転プログラムを選択するとともに、所望の調理温度（圧力）と調理時間を任意で入力する設定部１１を設ける。
【００５２】
前記給蒸手段４は、一端を前記調理槽３に接続し、リボイラからなる蒸気発生源（図示省略）からの清浄蒸気を前記調理槽３内へ供給するための給蒸ライン（配管）１２，蒸気の供給を制御する給蒸制御弁１３，前記給蒸ライン１２に設けられ前記調理槽３内へ蒸気を噴出する蒸気ノズル１４を含んで構成される。この蒸気ノズル１４は、省略可能である。
【００５３】
前記排蒸手段５は、蒸煮中または蒸煮終了後、蒸気を前記調理槽３外へ排出するとともに、正圧の前記調理槽３内を復圧するもので、一端を前記調理槽３と接続し、前記調理槽３内の蒸気を槽外へ排出する排蒸ライン１５、排蒸を制御する排蒸制御弁１６を含んで構成されている。前記ドレン排出手段６は、前記調理槽３内に溜まったドレンを排出するとともに、前記排蒸手段５と同様に正圧の前記調理槽３内を復圧するもので、一端を前記調理槽３に接続し前記調理槽３内底部に溜まったドレンを槽外へ排出するドレンライン１７、ドレンが溜まったのを検知して開くドレントラップ１８、ドレンの排出を制御するドレン制御弁１９を含んで構成されている。
【００５４】
前記減圧手段７は、負圧に前記調理槽３内を減圧するもので、真空吸引用の減圧ライン２０と、減圧度を制御する減圧制御弁２１、前記減圧ライン２０に設けるエゼクタ，熱交換器，真空ポンプ（いずれも図示省略）の一つまたは複数を組み合わせて構成される減圧器２２を含んで構成される。前記エゼクタ（図示省略）は、蒸気エゼクタまたは水エゼクタのどちらでも適用できる。前記外気導入手段８は、負圧の前記調理槽内を復圧するもので、一端を前記調理槽３と接続した外気導入ライン２３、このライン中に設ける外気導入制御弁２４、空気清浄用フィルタ２５および逆止弁２６を含んで構成されている。
【００５５】
前記制御器１０は、前記圧力センサ９からの信号を入力し、所定の運転プログラムにしたがい、前記各制御弁１３，１６，１９，２１，２４および前記減圧器２２を制御するよ
うに構成されている。前記各制御弁１３，１６，１９，２１，２４は、開度調整可能な電磁弁，モータバルブまたは比例制御弁とすることができる。前記制御器１０は、前記設定部１１にて入力された調理温度（圧力）と調理時間から前記調理槽３内の圧力移行特性線を演算する演算部（図示省略）、前記圧力センサ９にて検出した前記調理槽３内の圧力から温度への換算および前記設定部１１から入力された温度から圧力への換算を行う換算部（図示省略）、運転プログラムを記憶する第一記憶装置（たとえばフラッシュメモリ）２７を備える。この第一記憶装置２７は、着脱自在であって、別の前記第一〜第四運転プログラムを記憶する第二記憶装置２７’と交換可能に構成している。さらに、前記制御器１０は、ネットワーク２８を通じて、運転プログラム情報を配信するサーバ２９と通信も可能である。
【００５６】
前記運転プログラムとしては、負圧蒸煮を行う第一運転プログラムと、大気圧，すなわち無圧蒸煮を行う第二運転プログラムと、正圧蒸煮を行う第三運転プログラムと、負圧蒸煮，無圧蒸煮および正圧蒸煮のうち少なくとも二つを組み合わせた第四運転プログラムとがある。前記制御器１０は、前記各運転プログラムを選択して実行できるように構成されている。
【００５７】
＜第一運転プログラム＞
以下に、前記第一運転プログラムを実行する場合における動作を図１および図４にしたがい説明する。
【００５８】
[運転プログラムの選択]
使用者は、前記設定部１１にて自らが所望する調理に適した運転プログラムを前記第一〜第四運転プログラムから選択することができ、前記第一運転プログラムを選択する。前記制御器１０は、前記第一運転プログラムの選択により、図２に示す個別プログラムを順次実行する。すなわち、前記調理槽３内の空気を排除する空気排除運転（ステップＳ１），空気排除した後に前記調理槽３内へ蒸気を供給して設定した温度（圧力）に達するまで加圧する圧力移行運転（ステップＳ２），前記調理槽３内へ蒸気を供給して設定した温度（圧力）に制御しながら加熱調理する加熱運転（ステップＳ３），加熱運転（ステップＳ３）終了後に前記調理槽３内を大気圧まで復圧する復圧運転（ステップＳ４）を順次実行する。
【００５９】
[運転条件の設定等]
まず、前記調理槽３内へ食材２を収容し、扉（図示省略）を閉めて密閉状態にする。そして、使用者は、前記設定部１１にて蒸気調理を行う際の所望の温度と時間を設定する。この設定時においては、各運転の温度制御を行うための第一設定温度ｔ１，第二設定温度ｔ２、各運転の時間制御を行うための圧力移行運転時間Ｔ１，加熱運転時間Ｔ２，復圧運転時間Ｔ３を使用者によって任意に設定する。
【００６０】
ここで、前記第一および第二設定温度ｔ１，ｔ２について詳しく説明する。この前記第一運転プログラムにおいて、前記第一設定温度ｔ１は、圧力移行運転開始温度であって、使用者が前記蒸煮装置１の使用前に初期設定してもよいが、あらかじめ前記運転プログラムに初期設定しておく。これにより使用者の煩雑さを軽減することができる。前記第二設定温度ｔ２は、圧力移行運転終了温度，加熱運転温度および復圧運転開始温度である。この第二設定温度ｔ２は、前記加熱運転（ステップＳ３）における負圧蒸煮時の設定温度であって、前記第一設定温度ｔ１より高く、かつ大気圧（約１０１３hPa）の換算温度１００℃より低く設定する。この第一および第二設定温度ｔ１，ｔ２は、前記換算部（図示省略）で圧力換算されて、第一および第二設定圧力ｐ１，ｐ２になる。すなわち、前記第一設定圧力ｐ１は、圧力移行運転開始圧力であって、前記第二設定圧力ｐ２は、圧力移行運転終了圧力，加熱運転圧力および復圧運転開始圧力である。
【００６１】
[圧力移行特性線の演算]
前記制御器１０は、前記第一および第二設定圧力ｐ１，ｐ２と、前記各運転時間Ｔ１〜３とに基づいて、前記演算部（図示省略）にて前記圧力移行運転（ステップＳ２）および前記復圧運転（ステップＳ４）における図４の各圧力移行特性線Ａ，Ｂを演算する。図４の各圧力移行特性線Ａ，Ｂは、破線で表されている時間−調理槽内圧力特性線であって、前記調理槽３内の圧力をフィードバック制御するための基準となる特性線である。また、図４の実線は、時間−調理槽内温度特性線（以下、「温度特性線」と云う。）を表している。演算終了後、使用者は、運転スイッチ（図示省略）をオンにし、前記空気排除運転（ステップＳ１）を開始する。
【００６２】
[個別プログラムの実行]
（空気排除運転：ステップＳ１）
この空気排除運転（ステップＳ１）では、まず、前記制御器１０は、前記給蒸制御弁１３，前記排蒸制御弁１６，前記ドレン制御弁１９，前記外気導入制御弁２４を閉じ、前記減圧器２２を作動させるとともに、前記減圧制御弁２１を開く。これにより、前記調理槽３内の空気が前記減圧ライン２０を通って槽外へ排出される。そして、前記制御器１０は、前記調理槽３内の前記圧力センサ９による検出圧力が、前記第一設定圧力ｐ１に達すると、前記減圧手段７を停止させる。この空気排除運転（ステップＳ１）により、前記調理槽３内の温度（圧力）制御の妨げとなる空気が排出される。このとき、この空気排除運転（ステップＳ１）では、空気排除を目的とした前記調理槽３内の減圧であるため、図４の温度特性線のように温度変化は起こらない。そして、前記制御器１０は、前記減圧器２２を停止させるとともに、前記減圧制御弁２１を閉じ、この空気排除運転（ステップＳ１）を終了し、前記圧力移行運転（ステップＳ２）へ移行する。
【００６３】
（圧力移行運転：ステップＳ２）
つぎに、前記制御器１０は、前記圧力移行運転時間Ｔ１にて、前記圧力移行特性線Ａに基づいて前記第一設定圧力ｐ１，すなわち前記第一設定温度ｔ１から第二設定圧力ｐ２，すなわち前記第二設定温度ｔ２まで前記調理槽３内を加圧する。この圧力移行運転（ステップＳ２）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この圧力移行運転（ステップＳ２）において、前記制御器１０は、前記調理槽３内の温度を前記圧力移行特性線Ａ上に乗るようにフィードバック制御する。そして、前記空気排除運転（ステップＳ１）後に、この圧力移行運転（ステップＳ２）を行うことにより、前記圧力移行特性線Ａに沿った温度制御が行われる。そして、前記制御器１０は、前記第二設定温度ｔ２に到達したことを検知し、前記加熱運転（ステップＳ３）へ移行する。
【００６４】
（加熱運転：ステップＳ３）
つぎに、前記加熱運転（ステップＳ３）について説明する。前記制御器１０は、前記圧力移行運転（ステップＳ２）に引き続いて、前記給蒸制御弁１３の開度を調整して、前記圧力センサ９にて圧力を検出しながら第二設定圧力ｐ２，すなわち前記第二設定温度ｔ２を一定に維持するように前記調理槽３内へ蒸気を供給し、食材２の蒸煮を行う。この負圧蒸煮時（以下の負圧蒸煮時も同様）は、前記給蒸制御弁１３の開度を調整して制御しても、前記調理槽３内の圧力が設定圧力値より上昇する場合がある。この場合、前記制御器８は、所定値上昇すると前記減圧器２２を作動させるとともに、前記減圧調整弁２１の開度を調整することで設定圧力値を維持する制御をすることができる。前記加熱運転時間Ｔ２経過した後、前記制御器１０は、前記給蒸制御弁１３を閉じ、前記加熱運転（ステップＳ３）を終了し、前記復圧運転（ステップＳ４）へ移行する。
【００６５】
（復圧運転：ステップＳ４）
この復圧運転（ステップＳ４）では、前記制御器１０が前記復圧運転時間Ｔ３にて、前記圧力移行特性線Ｂに基づいて前記第二設定圧力ｐ２，すなわち前記第二設定温度ｔ２から大気圧（約１０１３hPa）までフィードバック制御により前記調理槽３内を復圧する。この第一運転プログラムでは、前記復圧運転（ステップＳ４）開始時、前記調理槽３内が負圧状態であるため、前記外気導入制御弁２４の開度を調整しながら開いて外気導入することで復圧する。この復圧運転（ステップＳ４）では、負圧状態からの復圧であるため、図４の温度特性線のように温度変化は起こらない。そして、前記制御器１０は、前記調理槽３内が大気圧（約１０１３hPa）まで復圧された後、前記外気導入制御弁２４を閉じ、前記復圧運転（ステップＳ４）終了する。使用者は、前記扉（図示省略）を開いて前記調理槽内から食材２を取り出して、一連の処理を完了する。
【００６６】
＜第二運転プログラム＞
前記第一運転プログラムは、食材２を負圧で蒸煮し、低温でじっくり調理を行う運転プログラムである。これに対して前記第二運転プログラムは、食材２を無圧で蒸煮し、前記調理槽３内を吹き抜けの状態で調理を行う運転プログラムである。以下、前記第二運転プログラムを実行する場合における動作を前記第一運転プログラムと異なる構成のみ、図１および図５にしたがい説明する。
【００６７】
[運転プログラムの選択]
使用者は、前記設定部１１にて前記第二運転プログラムを選択する。前記制御器１０は、前記第二運転プログラムの選択により、図２に示す個別プログラムを順次実行する。前記個別プログラムの流れは前記第一運転プログラムと同様であるので、その説明は省略する。
【００６８】
[運転条件の設定等]
使用者は、前記設定部１１にて蒸気調理を行う際の所望の温度と時間を設定する。この設定時においては、各運転の温度制御を行うための第一設定温度ｔ１，第三設定温度ｔ３、各運転の時間制御を行うための圧力移行運転時間Ｔ１，加熱運転時間Ｔ２，復圧運転時間Ｔ３を使用者によって任意に設定する。
【００６９】
ここで、前記第三設定温度ｔ３について詳しく説明する。この第二運転プログラムにおいて、前記第三設定温度ｔ３は、圧力移行運転終了温度，加熱運転温度，復圧運転開始温度および復圧運転終了温度である。この第三設定温度ｔ３は、前記加熱運転（ステップＳ３）における無圧蒸煮時の設定温度であるため、大気圧（約１０１３hPa）の換算温度１００℃を設定する。この第三設定温度ｔ３は、前記換算部（図示省略）で圧力換算されて、第三設定圧力ｐ３になる。すなわち、前記第三設定圧力ｐ３は、圧力移行運転終了圧力，加熱運転圧力，復圧運転開始圧力および復圧運転終了圧力であって、大気圧（約１０１３hPa）である。
【００７０】
[圧力移行特性線の演算]
前記制御器１０は、前記第一および第三設定圧力ｐ１，ｐ３と、前記各運転時間Ｔ１〜３とに基づいて、前記演算部（図示省略）にて前記圧力移行運転（ステップＳ２）および前記復圧運転（ステップＳ４）における図５の各圧力移行特性線Ｃ，Ｄを演算する。演算終了後、前記空気排除運転（ステップＳ１）を開始する。
【００７１】
[個別プログラムの実行]
（空気排除運転：ステップＳ１）
前記空気排除運転（ステップＳ１）は、前記第一運転プログラムの空気排除運転（ステップＳ１）と同様であるので、その説明は省略する。
【００７２】
（圧力移行運転：ステップＳ２）
前記空気排除運転（ステップＳ１）を行った後、前記制御器１０は、前記圧力移行運転時間Ｔ１にて、前記圧力移行特性線Ｃに基づいて前記第一設定圧力ｐ１，すなわち前記第一設定温度ｔ１から第三設定圧力ｐ３，すなわち前記第三設定温度ｔ３まで前記調理槽３内の加圧をする。この圧力移行運転（ステップＳ２）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この圧力移行運転（ステップＳ２）において、前記制御器１０は、前記調理槽３内の温度を前記圧力移行特性線Ｃ上に乗るようにフィードバック制御する。そして、前記空気排除運転（ステップＳ１）後に、この圧力移行運転（ステップＳ２）を行うことにより、前記圧力移行特性線Ｃに沿った温度制御が行われる。そして、前記制御器１０は、前記第三設定温度ｔ３に到達したことを検知し、前記加熱運転（ステップＳ３）へ移行する。
【００７３】
（加熱運転：ステップＳ３）
前記加熱運転（ステップＳ３）開始時、前記調理槽３内は無圧状態である。前記制御器１０は、この無圧状態で蒸煮を行うため、前記圧力移行運転（ステップＳ２）に引き続いて、前記給蒸制御弁１３の開度を調整するとともに、前記排蒸制御弁１６，前記ドレン制御弁１９を全開にすることで、前記調理槽３内を吹き抜け状態とする。そして、前記制御器１０は、前記圧力センサ９にて圧力を検出しながら第三設定圧力ｐ３，すなわち前記第三設定温度ｔ３である１００℃を一定に維持するように前記調理槽３内へ蒸気を供給し、食材２の蒸煮を行う。前記加熱運転時間Ｔ２経過した後、前記制御器１０は、前記給蒸制御弁１３を閉じ、前記加熱運転（ステップＳ３）を終了し、前記復圧運転（ステップＳ４）へ移行する。
【００７４】
（復圧運転：ステップＳ４）
この第二運転プログラムでは、前記復圧運転（ステップＳ４）開始時、前記第三設定圧力ｐ３が大気圧（１０１３hPa）であるため、前記圧力移行特性線Ｄおよび図５の温度特性線のように圧力および変化は起こらない。ただし、前記制御器１０は、前記調理槽３内の温度を前記圧力移行特性線Ｄ上に乗るようにフィードバック制御，すなわち大気圧に沿った温度制御を行う。前記制御器１０は、前記加熱運転（ステップＳ４）に引き続いて、前記排蒸制御弁１６および前記ドレン制御弁１９を全開にして、前記調理槽３内のドレンを排出する。このとき前記排蒸制御弁１６および前記ドレン制御弁１９以外の制御弁１３，２１，２４は閉じている。そして、前記制御器１０は、前記復圧運転時間Ｔ３経過した後、前記排蒸制御弁１６，前記ドレン制御弁１９を閉じ、前記復圧運転（ステップＳ４）を終了する。使用者は、前記扉（図示省略）を開いて前記調理槽３内から食材２を取り出して、一連の処理を完了する。
【００７５】
＜第三運転プログラム＞
前記第二運転プログラムは、食材２を無圧で蒸煮し、前記調理槽３内を吹き抜け状態で調理を行う運転プログラムである。これに対して第三運転プログラムは、食材２を正圧で蒸煮し、高温でじっくりまたはすばやく調理する運転プログラムである。以下、前記第三運転プログラムを実行する場合における動作を前記第一運転プログラムと異なる構成のみ、図１および図６にしたがい説明する。
【００７６】
[運転プログラムの選択]
使用者は、前記設定部１１にて前記第三運転プログラムを選択する。前記制御器１０は、前記第三運転プログラムの選択により、図２に示す個別プログラムを順次実行する。前記個別プログラムの流れは前記第一運転プログラムと同様であるので、その説明は省略する。
【００７７】
[運転条件の設定等]
使用者は、前記設定部１１にて蒸気調理を行う際の所望の温度と時間を設定する。この設定時においては、各運転の温度制御を行うための第一設定温度ｔ１，第四設定温度ｔ４、各運転の時間制御を行うための圧力移行運転時間Ｔ１，加熱運転時間Ｔ２，復圧運転時間Ｔ３を使用者によって任意に設定する。
【００７８】
ここで、前記第四設定温度ｔ４について詳しく説明する。この第三運転プログラムにおいて、前記第四設定温度ｔ４は、前記第一運転プログラムの前記第二設定温度ｔ２と同様、圧力移行運転終了温度，加熱運転温度および復圧運転開始温度である。この第四設定温度ｔ４は、前記加熱運転（ステップＳ３）における正圧蒸煮時の設定温度であって、前記第一設定温度ｔ１より高く、かつ大気圧（約１０１３hPa）の換算温度１００℃より高く設定する。この第四設定温度ｔ４は、前記換算部（図示省略）で圧力換算されて、第四設定圧力ｐ４になる。すなわち、前記第四設定圧力ｐ４は、前記第一運転プログラムの前記第二設定圧力ｐ２と同様に、圧力移行運転終了圧力，加熱運転圧力および復圧運転開始圧力である。
【００７９】
[圧力移行特性線の演算]
前記制御器１０は、前記第一および第四設定圧力ｐ１，ｐ４と、前記各運転時間Ｔ１〜３とに基づいて、前記演算部（図示省略）にて前記圧力移行運転（ステップＳ２）および前記復圧運転（ステップＳ４）における図６の各圧力移行特性線Ｅ，Ｆを演算する。演算終了後、前記空気排除運転（ステップＳ１）を開始する。
【００８０】
[個別プログラムの実行]
（空気排除運転：ステップＳ１）
前記空気排除運転（ステップＳ１）は、前記第一運転プログラムの空気排除運転（ステップＳ１）と同様であるので、その説明は省略する。
【００８１】
（圧力移行運転：ステップＳ２）
前記空気排除運転（ステップＳ１）を行った後、前記制御器１０は、前記圧力移行運転時間Ｔ１にて、前記圧力移行特性線Ｅに基づいて前記第一設定圧力ｐ１，すなわち前記第一設定温度ｔ１から第四設定圧力ｐ４，すなわち前記第四設定温度ｔ４まで前記調理槽３内の加圧をする。この圧力移行運転（ステップＳ２）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この圧力移行運転（ステップＳ２）において、前記制御器１０は、前記調理槽３内の温度を前記圧力移行特性線Ｅ上に乗るようにフィードバック制御する。そして、前記空気排除運転（ステップＳ１）後に、この圧力移行運転（ステップＳ２）を行うことにより、前記圧力移行特性線Ｅに沿った温度制御が行われる。そして、前記制御器１０は、前記第四設定温度ｔ４に到達したことを検知し、前記加熱運転（ステップＳ３）へ移行する。
【００８２】
（加熱運転：ステップＳ３）
前記制御器１０は、前記圧力移行運転（ステップＳ２）に引き続いて、前記給蒸制御弁１３の開度を調整して、前記圧力センサ９にて圧力を検出しながら第四設定圧力ｐ４，すなわち前記第四設定温度ｔ４を一定に維持するように前記調理槽３内へ蒸気を供給し、食材２の蒸煮を行う。前記加熱運転時間Ｔ２経過した後、前記制御器１０は、前記給蒸制御弁１３を閉じ、前記加熱運転（ステップＳ３）を終了し、前記復圧運転（ステップＳ４）へ移行する。
【００８３】
（復圧運転：ステップＳ４）
前記制御器１０は、前記復圧運転時間Ｔ３にて、前記圧力移行特性線Ｆに基づいて前記第四設定圧力ｐ４，すなわち前記第四設定温度ｔ４から大気圧（約１０１３hPa）までフィードバック制御により前記調理槽３内を復圧する。この第三運転プログラムでは、前記復圧運転（ステップＳ４）開始時、前記調理槽３内が正圧状態であるため、前記排蒸制御弁１６，前記ドレン制御弁１９の開度を調整して、前記調理槽３内のドレンを排出するとともに前記調理槽３内を復圧（減圧）する。この復圧運転（ステップＳ４）では、正圧状態から大気圧（約１０１３hPa）までの復圧に伴って、図６の温度特性線に沿って温度が低下する。そして、大気圧（約１０１３hPa）まで復圧後の前記調理槽３内の温度は、大気圧（約１０１３hPa）の換算温度である１００℃になる。この復圧運転（ステップＳ４）では、前記調理槽３内の温度を前記圧力移行特性線Ｆ上に乗るようにフィードバック制御，すなわち前記圧力移行特性線Ｆに沿った温度制御が行われる。そして、前記制御器１０は、前記調理槽３内が大気圧（約１０１３hPa）まで復圧された後、前記排蒸制御弁１６，前記ドレン制御弁１９を閉じ、前記復圧運転（ステップＳ４）を終了する。使用者は、前記扉（図示省略）を開いて前記調理槽３内から食材２を取り出して、一連の処理を完了する。
【００８４】
＜第四運転プログラム＞
前記第一，第二および第三運転プログラムは、負圧蒸煮，無圧蒸煮および正圧蒸煮をそれぞれ行う運転プログラムである。これに対して前記第四運転プログラムは、負圧蒸煮，無圧蒸煮および正圧蒸煮のうち少なくとも二つ組み合わせて、負圧状態−正圧状態間で蒸煮温度を段階的変化させて調理を行う運転プログラムである。前記第四運転プログラムは、組み合わせにより多彩な蒸気調理運転が可能であるが、負圧状態から正圧状態に圧力移行させて蒸煮温度を低温から高温に段階的変化させる運転プログラムについてのみ例示する。以下、前記第四運転プログラムを実行する場合における動作を前記第一運転プログラムと異なる構成のみ、図１および図７にしたがい説明する。
【００８５】
[運転プログラムの選択]
使用者は、前記設定部１１にて前記第四運転プログラムを選択する。前記制御器１０は、前記第四運転プログラムの選択により、図３に示す個別プログラムを順次実行する。すなわち、前記調理槽３内の空気を排除する空気排除運転（ステップＳ５），空気排除した後に前記調理槽３内へ蒸気を供給して設定した温度（圧力）に達するまで加圧する第一圧力移行運転（ステップＳ６），前記調理槽３内へ蒸気を供給して設定した温度（圧力）に制御しながら加熱調理する第一加熱運転（ステップＳ７），さらに前記調理槽３内へ蒸気を供給し、前記第一加熱運転（ステップＳ７）の設定温度（圧力）と異なる設定温度（圧力）に圧力移行する第二圧力移行運転（ステップＳ８），前記調理槽３内へ蒸気を供給して前記第二圧力移行運転（ステップＳ８）後の設定温度（圧力）に制御しながら加熱調理する第二加熱運転（ステップＳ９），前記調理槽３内を大気圧（約１０１３hPa）まで復圧する復圧運転（ステップＳ１０）を順次実行する。
【００８６】
[運転条件の設定等]
使用者は、前記設定部１１にて蒸気調理を行う際の所望の温度と時間を設定する。この設定時においては、各運転の温度制御を行うための第一設定温度ｔ１，第五設定温度ｔ５，第六設定温度ｔ６、各運転の時間制御を行うための第一圧力移行運転時間Ｔ４，第一加熱運転時間Ｔ５，第二圧力移行運転時間Ｔ６，第二加熱運転時間Ｔ７，復圧運転時間Ｔ８を使用者によって任意に設定する。
【００８７】
ここで、前記第五および第六設定温度ｔ５，ｔ６について詳しく説明する。この第四運転プログラムにおいて、前記第五設定温度ｔ５は、第一圧力移行運転終了温度，第一加熱運転温度および第二圧力移行運転開始温度である。また、前記第六設定温度ｔ６は、第二圧力移行運転終了温度，第二加熱運転温度および復圧運転開始温度である。前記第五設定
温度ｔ５は、前記第一加熱運転（ステップＳ７）における負圧蒸煮時の設定温度であり、前記第六設定温度ｔ６は、前記第二加熱運転（ステップＳ９）における正圧蒸煮時の設定温度である。すなわち、前記第五設定温度ｔ５は、前記第一設定温度ｔ１より高く、かつ大気圧（約１０１３hPa）の換算温度１００℃より低く設定する。また、前記第六設定温度ｔ６は、大気圧（約１０１３hPa）の換算温度１００℃より高く設定する。この第五および第六設定温度ｔ５，ｔ６は、前記換算部（図示省略）で圧力換算されて、第五および第六設定圧力ｐ５，ｐ６になる。すなわち、前記第五設定圧力ｐ５は、第一圧力移行運転終了圧力，第一加熱運転圧力および第二圧力移行運転開始圧力であって、前記第六設定圧力ｐ６は、第二圧力移行運転終了圧力，第二加熱運転圧力および復圧運転開始圧力である。
【００８８】
[圧力移行特性線の演算]
前記制御器１０は、前記第一，第五および第六設定圧力ｐ１，ｐ５，ｐ６と、前記各運転時間Ｔ４〜８とに基づいて、前記演算部（図示省略）にて前記第一圧力移行運転（ステップＳ６），前記第二圧力移行運転（ステップＳ８）および前記復圧運転（ステップＳ１０）における図７の各圧力移行特性線Ｇ，Ｈ，Ｊを演算する。演算終了後、前記空気排除運転（ステップＳ５）を開始する。
【００８９】
[個別プログラムの実行]
（空気排除運転：ステップＳ５）
前記空気排除運転（ステップＳ５）は、前記第一運転プログラムの空気排除運転（ステップＳ１）と同様であるので、その説明は省略する。
【００９０】
（第一圧力移行運転：ステップＳ６）
前記空気排除運転（ステップＳ６）を行った後、前記制御器１０は、前記第一圧力移行運転時間Ｔ４にて、前記圧力移行特性線Ｇに基づいて前記第一設定圧力ｐ１，すなわち前記第一設定温度ｔ１から第五設定圧力ｐ５，すなわち前記第五設定温度ｔ５まで前記調理槽３内の加圧をする。この第一圧力移行運転（ステップＳ６）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この第一圧力移行運転（ステップＳ６）において、前記制御器１０は、前記調理槽３内の温度を前記圧力移行特性線Ｇ上に乗るようにフィードバック制御する。そして、前記空気排除運転（ステップＳ５）後に、この第一圧力移行運転（ステップＳ６）を行うことにより、前記圧力移行特性線Ｇに沿った温度制御が行われる。そして、前記制御器１０は、前記第五設定温度ｔ５に到達したことを検知し、前記第一加熱運転（ステップＳ７）へ移行する。
【００９１】
（第一加熱運転：ステップＳ７）
前記制御器１０は、前記第一圧力移行運転（ステップＳ６）に引き続いて、前記給蒸制御弁１３の開度を調整して、前記圧力センサ９にて圧力を検出しながら第五設定圧力ｐ５，すなわち前記第五設定温度ｔ５を一定に維持するように前記調理槽３内へ蒸気を供給し、食材２の蒸煮を行う。前記第一加熱運転時間Ｔ５経過した後、前記制御器１０は、前記第一加熱運転（ステップＳ７）を終了し、前記第二圧力移行運転（ステップＳ８）へ移行する。
【００９２】
（第二圧力移行運転：ステップＳ８）
前記制御器１０は、前記第一加熱運転（ステップＳ７）に続いて、前記給蒸制御弁１３の開度を調整して、蒸気の供給による前記調理槽３内の加圧を行う。前記制御器１０は、前記第二圧力移行運転時間Ｔ６にて、前記圧力移行特性線Ｈに基づいて前記第五設定圧力ｐ５，前記第五設定温度ｔ５から第六設定圧力ｐ６，すなわち前記第六設定温度ｔ６まで
前記調理槽３内の加圧をする。この第二圧力移行運転（ステップＳ８）では、前記第一圧力移行運転（ステップＳ６）と同様、前記調理槽３内の温度を前記圧力移行特性線Ｈ上に乗るようにフィードバック制御，すなわち前記圧力移行特性線Ｈに沿った温度制御が行われる。そして、前記制御器１０は、前記第六設定温度ｔ６に到達したことを検知し、前記第二加熱運転（ステップＳ９）へ移行する。
【００９３】
（第二加熱運転：ステップＳ９）
前記制御器１０は、前記第二圧力移行運転（ステップＳ８）に引き続いて、前記給蒸制御弁１３の開度を調整して、前記圧力センサ９にて圧力を検出しながら第六設定圧力ｐ６，すなわち前記第六設定温度ｔ６を一定に維持するように前記調理槽３内へ蒸気を供給し、食材２の蒸煮を行う。前記第二加熱運転時間Ｔ７経過した後、前記制御器１０は、前記給蒸制御弁１３を閉じ、前記第二加熱運転（ステップＳ９）を終了し、前記復圧運転（ステップＳ１０）へ移行する。
【００９４】
（復圧運転：ステップＳ１０）
前記制御器１０は、前記復圧運転時間Ｔ８にて、前記圧力移行特性線Ｊに基づいて前記第六設定圧力ｐ６，すなわち前記第六設定温度ｔ６から大気圧（約１０１３hPa）までフィードバック制御により前記調理槽３内を復圧する。ここで例示する前記第四運転プログラムでは、前記復圧運転（ステップＳ１０）開始時、前記調理槽３内が正圧状態であるため、前記排蒸制御弁１６，前記ドレン制御弁１９の開度を調整しながら、前記調理槽３内のドレンを排出するとともに前記調理槽３内を復圧（減圧）する。この復圧運転（ステップＳ１０）では、正圧状態から大気圧（約１０１３hPa）までの復圧に伴って、図７の温度特性線に沿って温度が低下する。そして、大気圧（約１０１３hPa）まで復圧後の前記調理槽３内の温度は、大気圧（約１０１３hPa）の換算温度である１００℃になる。この復圧運転（ステップＳ１０）では、前記調理槽３内の温度を前記圧力移行特性線Ｊ上に乗るようにフィードバック制御，すなわち前記圧力移行特性線Ｊに沿った温度制御が行われる。そして、前記制御器１０は、前記調理槽３内が大気圧（約１０１３hPa）まで復圧された後、前記排蒸制御弁１６，前記ドレン制御弁１９を閉じ、前記復圧運転（ステップＳ１０）を終了する。使用者は、前記扉（図示省略）を開いて前記調理槽３内から食材２を取り出して、一連の処理を完了する。
【００９５】
以上の実施例によれば、前記第一〜第四運転プログラムを食材２の性状に応じて選択して実行することで、多彩に蒸気調理制御が可能となり、多様な食材２の蒸気調理品質を向上することができる。
【００９６】
[運転プログラム内容の変更]
前記第一〜第四運転プログラムの内容は、使用者の任意により変更することも可能である。また、変更後の前記第一〜第四運転プログラムの内容は、使用者が前記設定部１１を操作することで、前記第一記憶装置２７に記憶させることができる。図８は、運転プログラムの変更処理手順を示すフローチャート図である。変更の仕方としては、図８に示すように、使用者が前記設定部１１を操作して前記第一記憶装置２７にて記憶された運転プログラムを選択して呼び出す（ステップＳ１１）。そして使用者は、呼び出した運転プログラムを確認した上で、前記設定部１１から所期の設定温度（圧力）または時間に修正する（ステップＳ１２）。さらに使用者は、前記設定部１１を操作して修正済みの運転プログラムを前記第一記憶装置２７へ記憶させる（ステップＳ１３）。このように、使用者は、設定した運転プログラムの内容を変更可能とすることで、より一層多様な食材２の蒸気調理が可能となる。
【００９７】
また、使用者は、前記第一〜第四運転プログラムの内容を記憶した前記第一記憶装置２７を前記第二記憶装置２７’と交換可能である。この第二記憶装置２７’には、前記第一
記憶装置２７に記憶したものと別の内容の前記第一〜第四運転プログラムが記憶されている。これにより、使用者は、食材２に応じて前記記憶装置２７，２７’を交換して、所期の運転プログラムを呼び出し実行することで、より一層多様な食材２の蒸気調理が可能となる。
【００９８】
さらに、前記サーバ２９には、調理レシピ提供者により前記第一〜第四運転プログラムを多様に蓄積することができ、使用者が前記設定部１１を操作してネットワーク２８を通じて所期の運転プログラムをダウンロードして、この運転プログラムを実行することが可能である。使用者は、ダウンロードした運転プログラムを前記第一記憶装置２７へ追加して記憶することが可能であって、この運転プログラムを再度呼び出して実行できる。また、調理レシピ提供者は、使用者の需要に応じてネットワーク２８を通じて前記第一〜第四運転プログラムの内容を追加，修正等の変更も可能である。
【００９９】
この発明は、前記実施例に限定されるものではなく、前記第一〜第四運転プログラムにおいて負圧蒸煮または正圧蒸煮の蒸煮温度を段階的に変化するように構成することができる。以下に、前記第一運転プログラムの変形例として蒸煮温度を低温から高温に段階的変化させる運転プログラムと、前記第三運転プログラムの変形例として蒸煮温度を低温から高温に段階的変化させる運転プログラムとを例示する。図９は、第一運転プログラムの変形例の調理槽内温度／圧力の概略的時間変化を示す特性図である。図１０は、第三運転プログラムの変形例の調理槽内温度／圧力の概略的時間変化を示す特性図である。
【０１００】
＜第一運転プログラムの変形例＞
前記第一運転プログラムの変形例を実行する場合における動作を前記第一運転プログラムと異なる構成のみ、図１および図９にしたがい説明する。
【０１０１】
[運転プログラムの選択]
使用者は、前記設定部１１にて前記第一運転プログラムを選択する。前記制御器１０は、前記第一運転プログラムの選択により、図３に示す個別プログラムを順次実行する。前記個別プログラムの流れは前記第四運転プログラムと同様であるので、その説明は省略する。
【０１０２】
[運転条件の設定等]
使用者は、前記設定部１１にて蒸気調理を行う際の所望の温度と時間を設定する。この設定時においては、各運転の温度制御を行うための第一設定温度ｔ１，第七設定温度ｔ７，第八設定温度ｔ８、各運転の時間制御を行うための第一圧力移行運転時間Ｔ４，第一加熱運転時間Ｔ５，第二圧力移行運転時間Ｔ６，第二加熱運転時間Ｔ７，第三復圧運転時間Ｔ８を使用者によって任意に設定する。
【０１０３】
ここで、前記第七および第八設定温度ｔ７，ｔ８について詳しく説明する。この第一運転プログラムにおいて、前記第七設定温度ｔ７は、第一圧力移行運転終了温度，第一加熱運転温度および第二圧力移行運転開始温度である。また、前記第八設定温度ｔ８は、第二圧力移行運転終了温度，第二加熱運転温度および復圧運転開始温度である。この第七および第八設定温度ｔ７，ｔ８は、前記第一加熱運転（ステップＳ７）および前記第二加熱運転（ステップＳ９）における負圧蒸煮時の設定温度である。前記第七設定温度ｔ７は、前記第一設定温度ｔ１より高く、かつ前記第八設定温度ｔ８より低く設定する。また、前記第八設定温度ｔ８は、前記第七設定温度ｔ７より高く、かつ大気圧（約１０１３hPa）の換算温度１００℃より低く設定する。この第七および第八設定温度ｔ７，ｔ８は、前記換算部（図示省略）で圧力換算されて、第七および第八設定圧力ｐ７，ｐ８になる。すなわち、前記第七設定圧力ｐ７は、第一圧力移行運転終了圧力，第一加熱運転圧力および第二圧力移行運転開始圧力であって、前記第八設定圧力ｐ８は、第二圧力移行運転終了圧力，
第二加熱運転圧力および復圧運転開始圧力である。
【０１０４】
[圧力移行特性線の演算]
前記制御器１０は、前記第一，第七および第八設定圧力ｐ１，ｐ７，ｐ８と、前記各運転時間Ｔ４〜８とに基づいて、前記演算部（図示省略）にて前記第一圧力移行運転（ステップＳ６），前記第二圧力移行運転（ステップＳ８）および前記復圧運転（ステップＳ１０）における図９の各圧力移行特性線Ｋ，Ｌ，Ｍを演算する。演算終了後、前記空気排除運転（ステップＳ５）を開始する。
【０１０５】
[個別プログラムの実行]
（空気排除運転：ステップＳ５）
前記空気排除運転（ステップＳ５）は、前記第一運転プログラムの空気排除運転（ステップＳ１）と同様であるので、その説明は省略する。
【０１０６】
（第一圧力移行運転：ステップＳ６）
前記空気排除運転（ステップＳ６）を行った後、前記制御器１０は、前記第一圧力移行運転時間Ｔ４にて、前記圧力移行特性線Ｋに基づいて前記第一設定圧力ｐ１，すなわち前記第一設定温度ｔ１から第七設定圧力ｐ７，すなわち前記第七設定温度ｔ７まで前記調理槽３内の加圧をする。この第一圧力移行運転（ステップＳ６）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この第一圧力移行運転（ステップＳ６）において、前記制御器１０は、前記調理槽３内の温度を前記圧力移行特性線Ｋ上に乗るようにフィードバック制御する。そして、前記空気排除運転（ステップＳ５）後に、この第一圧力移行運転（ステップＳ６）を行うことにより、前記圧力移行特性線Ｋに沿った温度制御が行われる。そして、前記制御器１０は、前記第七設定温度ｔ７に到達したことを検知し、前記第一加熱運転（ステップＳ７）へ移行する。
【０１０７】
（第一加熱運転：ステップＳ７）
前記制御器１０は、前記第一圧力移行運転（ステップＳ６）に引き続いて、前記給蒸制御弁１３の開度を調整して、前記圧力センサ９にて圧力を検出しながら第七設定圧力ｐ７，すなわち前記第七設定温度ｔ７を一定に維持するように前記調理槽３内へ蒸気を供給し、食材２の蒸煮を行う。前記第一加熱運転時間Ｔ５経過した後、前記制御器１０は、前記第一加熱運転（ステップＳ７）を終了し、前記第二圧力移行運転（ステップＳ８）へ移行する。
【０１０８】
（第二圧力移行運転：ステップＳ８）
前記制御器１０は、前記第一加熱運転（ステップＳ７）に続いて、前記給蒸制御弁１３の開度を調整して、蒸気の供給による前記調理槽３内の加圧を行う。前記制御器１０は、前記第二圧力移行運転時間Ｔ６にて、前記圧力移行特性線Ｌに基づいて前記第七設定圧力ｐ７，前記第七設定温度ｔ７から第八設定圧力ｐ８，すなわち前記第八設定温度ｔ８まで前記調理槽３内の加圧をする。この第二圧力移行運転（ステップＳ８）では、前記第一圧力移行運転（ステップＳ６）と同様、前記調理槽３内の温度を前記圧力移行特性線Ｌ上に乗るようにフィードバック制御，すなわち前記圧力移行特性線Ｌに沿った温度制御が行われる。そして、前記制御器１０は、前記第八設定温度ｔ８に到達したことを検知し、前記第二加熱運転（ステップＳ９）へ移行する。
【０１０９】
（第二加熱運転：ステップＳ９）
前記制御器１０は、前記第二圧力移行運転（ステップＳ８）に引き続いて、前記給蒸制御弁１３の開度を調整して、前記圧力センサ９にて圧力を検出しながら第八設定圧力ｐ８
，すなわち前記第八設定温度ｔ８を一定に維持するように前記調理槽３内へ蒸気を供給し、食材２の蒸煮を行う。前記第二加熱運転時間Ｔ７経過した後、前記制御器１０は、前記給蒸制御弁１３を閉じ、前記第二加熱運転（ステップＳ９）を終了し、前記復圧運転（ステップＳ１０）へ移行する。
【０１１０】
（復圧運転：ステップＳ１０）
前記制御器１０は、前記復圧運転時間Ｔ８にて、前記圧力移行特性線Ｍに基づいて前記第八設定圧力ｐ８，すなわち前記第八設定温度ｔ８から大気圧（約１０１３hPa）までフィードバック制御により前記調理槽３内を復圧する。この第一運転プログラムでは、前記復圧運転（ステップＳ１０）開始時、前記調理槽３内が負圧状態であるため、前記外気導入制御弁２４の開度を調整しながら開いて外気導入することで復圧する。この復圧運転（ステップＳ１０）では、負圧状態からの復圧であるため、図９の温度特性線のように温度変化は起こらない。そして、前記制御器１０は、前記調理槽３内が大気圧（約１０１３hPa）まで復圧された後、前記外気導入制御弁２４を閉じ、復圧運転（ステップＳ１０）終了する。使用者は、前記扉（図示省略）を開いて前記調理槽３内から食材２を取り出して、一連の処理を完了する。
【０１１１】
＜第三運転プログラムの変形例＞
前記第三運転プログラムの変形例を実行する場合における動作を前記第一運転プログラムと異なる構成のみ、図１および図１０にしたがい説明する。
【０１１２】
[運転プログラムの選択]
使用者は、前記設定部１１にて前記第三運転プログラムを選択する。前記制御器１０は、前記第三運転プログラムの選択により、図３に示す個別プログラムを順次実行する。前記個別プログラムの流れは前記第四運転プログラムと同様であるので、その説明は省略する。
【０１１３】
[運転条件の設定等]
使用者は、前記設定部１１にて蒸気調理を行う際の所望の温度と時間を設定する。この設定時においては、各運転の温度制御を行うための第一設定温度ｔ１，第九設定温度ｔ９，第十設定温度ｔ１０、各運転の時間制御を行うための第一圧力移行運転時間Ｔ４，第一加熱運転時間Ｔ５，第二圧力移行運転時間Ｔ６，第二加熱運転時間Ｔ７，復圧運転時間Ｔ８を使用者によって任意に設定する。
【０１１４】
ここで、前記第九および第十設定温度ｔ９，ｔ１０について詳しく説明する。この第三運転プログラムにおいて、前記第九設定温度ｔ９は、第一圧力移行運転終了温度，第一加熱運転温度および第二圧力移行運転開始温度である。また、前記第十設定温度ｔ１０は、第二圧力移行運転終了温度，第二加熱運転温度および復圧運転開始温度である。この第九および第十設定温度ｔ９，ｔ１０は、前記第一加熱運転（ステップＳ７）および前記第二加熱運転（ステップＳ９）における正圧蒸煮時の設定温度である。前記第九設定温度ｔ９は、大気圧（約１０１３hPa）の換算温度１００℃より高く、かつ前記第十設定温度ｔ１０より低く設定する。また、前記第十設定温度ｔ１０は、前記第九設定温度ｔ９より高く設定する。この第九および第十設定温度ｔ９，ｔ１０は、前記換算部（図示省略）で圧力換算されて、第九および第十設定圧力ｐ９，ｐ１０になる。すなわち、前記第九設定圧力ｐ９は、第一圧力移行運転終了圧力，第一加熱運転圧力および第二圧力移行運転開始圧力であって、前記第十設定圧力ｐ１０は、第二圧力移行運転終了圧力，第二加熱運転圧力および復圧運転開始圧力である。
【０１１５】
[圧力移行特性線の演算]
前記制御器１０は、前記第一，第九および第十設定圧力ｐ１，ｐ９，ｐ１０と、前記各
運転時間Ｔ４〜８とに基づいて、前記演算部（図示省略）にて前記第一圧力移行運転（ステップＳ６），前記第二圧力移行運転（ステップＳ８）および前記復圧運転（ステップＳ１０）における図１０の各圧力移行特性線Ｎ，Ｑ，Ｒを演算する。演算終了後、前記空気排除運転（ステップＳ５）を開始する。
【０１１６】
[個別プログラムの実行]
（空気排除運転：ステップＳ５）
前記空気排除運転（ステップＳ５）は、前記第一運転プログラムの空気排除運転（ステップＳ１）と同様であるので、その説明は省略する。
【０１１７】
（第一圧力移行運転：ステップＳ６）
前記空気排除運転（ステップＳ５）を行った後、前記制御器１０は、前記第一圧力移行運転時間Ｔ４にて、前記圧力移行特性線Ｎに基づいて前記第一設定圧力ｐ１，すなわち前記第一設定温度ｔ１から第九設定圧力ｐ９，すなわち前記第九設定温度ｔ９まで前記調理槽３内の加圧をする。この第一圧力移行運転（ステップＳ６）では、前記給蒸制御弁１３の開度を調整して前記蒸気ノズル１４から蒸気を前記調理槽３内へ連続的に蒸気供給する。このとき前記給蒸制御弁１３以外の制御弁１６，１９，２１，２４は閉じている。この第一圧力移行運転（ステップＳ６）において、前記制御器１０は、前記調理槽３内の温度を前記圧力移行特性線Ｎ上に乗るようにフィードバック制御する。そして、前記空気排除運転（ステップＳ５）後に、この第一圧力移行運転（ステップＳ６）を行うことにより、前記圧力移行特性線Ｎに沿った温度制御が行われる。そして、前記制御器１０は、前記第九設定温度ｔ９に到達したことを検知し、前記第一加熱運転（ステップＳ７）へ移行する。
【０１１８】
（第一加熱運転：ステップＳ７）
前記制御器１０は、前記第一圧力移行運転（ステップＳ６）に引き続いて、前記給蒸制御弁１３の開度を調整して、前記圧力センサ９にて圧力を検出しながら第九設定圧力ｐ９，すなわち前記第九設定温度ｔ９を一定に維持するように前記調理槽３内へ蒸気を供給し、食材２の蒸煮を行う。前記第一加熱運転時間Ｔ５経過した後、前記制御器１０は、前記第一加熱運転（ステップＳ７）を終了し、前記第二圧力移行運転（ステップＳ８）へ移行する。
【０１１９】
（第二圧力移行運転：ステップＳ８）
前記制御器１０は、前記第一加熱運転（ステップＳ７）に続いて、前記給蒸制御弁１３の開度を調整して、蒸気の供給による前記調理槽３内の加圧を行う。前記制御器１０は、前記第二圧力移行運転時間Ｔ６にて、前記圧力移行特性線Ｑに基づいて前記第九設定圧力ｐ９，前記第九設定温度ｔ９から第十設定圧力ｐ１０，すなわち前記第十設定温度ｔ１０まで前記調理槽３内の加圧をする。この第二圧力移行運転（ステップＳ８）では、前記第一圧力移行運転（ステップＳ６）と同様、前記調理槽３内の温度を前記圧力移行特性線Ｑ上に乗るようにフィードバック制御，すなわち前記圧力移行特性線Ｑに沿った温度制御が行われる。そして、前記制御器１０は、前記第十設定温度ｔ１０に到達したことを検知し、前記第二加熱運転（ステップＳ９）へ移行する。
【０１２０】
（第二加熱運転：ステップＳ９）
前記制御器１０は、前記第二圧力移行運転（ステップＳ８）に引き続いて、前記給蒸制御弁１３の開度を調整して、前記圧力センサ９にて圧力を検出しながら第十設定圧力ｐ１０，すなわち前記第十設定温度ｔ１０を一定に維持するように前記調理槽３内へ蒸気を供給し、食材２の蒸煮を行う。前記第二加熱運転時間Ｔ７経過した後、前記制御器１０は、前記給蒸制御弁１３を閉じ、前記第二加熱運転（ステップＳ９）を終了し、前記復圧運転（ステップＳ１０）へ移行する。
【０１２１】
（復圧運転：ステップＳ１０）
前記制御器１０は、前記復圧運転時間Ｔ８にて、前記圧力移行特性線Ｒに基づいて前記第十設定圧力ｐ１０，すなわち前記第十設定温度ｔ１０から大気圧（約１０１３hPa）までフィードバック制御により前記調理槽３内を復圧する。この第三運転プログラムでは、前記復圧運転（ステップＳ１０）開始時、前記調理槽３内が正圧状態であるため、前記排蒸制御弁１６，前記ドレン制御弁１９の開度を調整しながら、前記調理槽３内のドレンを排出するとともに前記調理槽３内を復圧（減圧）する。この復圧運転（ステップＳ１０）では、正圧状態から大気圧（約１０１３hPa）までの復圧に伴って、図１０の温度特性線に沿って温度が低下する。そして、大気圧（約１０１３hPa）まで復圧後の前記調理槽３内の温度は、大気圧（約１０１３hPa）の換算温度である１００℃になる。この復圧運転（ステップＳ１０）では、前記調理槽３内の温度を前記圧力移行特性線Ｒ上に乗るようにフィードバック制御，すなわち前記圧力移行特性線Ｒに沿った温度制御が行われる。そして、前記制御器１０は、前記調理槽３内が大気圧（約１０１３hPa）まで復圧された後、前記排蒸制御弁１６，前記ドレン制御弁１９を閉じ、前記復圧運転（ステップＳ１０）を終了する。使用者は、前記扉（図示省略）を開いて前記調理槽３内から食材２を取り出して、一連の処理を完了する。
【０１２２】
前記変形例によれば、前記第一〜第四運転プログラムのうち負圧蒸煮または正圧蒸煮を多段で行うことで、より多彩に蒸気調理制御が可能となり、多様な食材の蒸気調理品質を向上することができる。
【図面の簡単な説明】
【０１２３】
【図１】この発明の調理装置の概略構成の説明図である。
【図２】第一，第二および第三運転プログラムの処理手順を示すフローチャート図である。
【図３】第四運転プログラムの処理手順を示すフローチャート図である。
【図４】第一運転プログラムの調理槽内温度／圧力の概略的時間変化を示す特性図である。
【図５】第二運転プログラムの調理槽内温度／圧力の概略的時間変化を示す特性図である。
【図６】第三運転プログラムの調理槽内温度／圧力の概略的時間変化を示す特性図である。
【図７】第四運転プログラムの調理槽内温度／圧力の概略的時間変化を示す特性図である。
【図８】運転プログラムの変更処理手順を示すフローチャート図である。
【図９】第一運転プログラムの変形例の調理槽内温度／圧力の概略的時間変化を示す特性図である。
【図１０】第三運転プログラムの変形例の調理槽内温度／圧力の概略的時間変化を示す特性図である。
【符号の説明】
【０１２４】
２  食材（被調理物）
３  調理槽
４  給蒸手段
７  減圧手段
１０  制御器
【図１】
0004756466.tif 000002
【図２】
0004756466.tif 000003
【図３】
0004756466.tif 000004
【図４】
0004756466.tif 000005
【図５】
0004756466.tif 000006
【図６】
0004756466.tif 000007
【図７】
0004756466.tif 000008
【図８】
0004756466.tif 000009
【図９】
0004756466.tif 000010
【図１０】
0004756466.tif 000011